【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
ケーブルの熱膨張に適応するために前記ケーブルをラダーラックに固定するためのラダーラック及びケーブルクリートシステムであって、
サイドレールと、前記サイドレールの間で延在する複数のラダーラングと、を有するラダーラックと、
前記ラダーラックに固定された取り付けブラケットアセンブリであって、水平梁及び垂直部材を有するブラケット本体を有する、取り付けブラケットアセンブリと、
前記ブラケット本体の前記水平梁に摺動可能に取り付けられた浮動支持ブラケットと、
前記浮動支持ブラケットと前記取り付けブラケットアセンブリとの間に配置された金属ロックタイであって、前記浮動支持ブラケット及び前記金属ロックタイが、前記ケーブルの熱による膨張及び収縮を可能にするために、前記ブラケット本体に沿って摺動する、金属ロックタイと、
を備え、
前記取り付けブラケットアセンブリの前記ブラケット本体の前記垂直部材が、前記ラダーラックの前記ラダーラングの１つに固定され、前記浮動支持ブラケットが、前記ラダーラックに固定された前記ケーブルを支持し、前記金属ロックタイが、前記浮動支持ブラケットによって支持された前記ケーブルの周りに巻かれる、ラダーラック及びケーブルクリートシステム。
【請求項２】
前記ブラケット本体が、前記垂直部材から延在している保持フランジを有し、前記保持フランジが、前記ラダーラングと係合して前記ブラケット本体が捩れることを防ぐ、請求項１に記載のケーブルクリートシステム。
【請求項３】
前記水平梁が、留め具を受け入れるためのねじ穴を伴う第１の端部を含み、前記留め具が、前記浮動支持ブラケットが前記水平梁から摺動して外れることを防ぐ、請求項１に記載のケーブルクリートシステム。
【請求項４】
前記垂直部材が、前記ブラケット本体を前記ラダーラングに装着する留め具を受け入れるための穴を有する、請求項１に記載のケーブルクリートシステム。
【請求項５】
前記浮動支持ブラケットが、２つのフランジを伴うベースを含み、各フランジがスロットを含む、請求項１に記載のケーブルクリートシステム。
【請求項６】
前記フランジが、前記ベースから下方に延在し、前記スロットが、互いに整列される、請求項５に記載のケーブルクリートシステム。
【請求項７】
前記ブラケット本体が、前記浮動支持ブラケットの前記整列されたスロットを通って配置される、請求項６に記載のケーブルクリートシステム。
【請求項８】
ケーブルの熱膨張に適応するために前記ケーブルをラダーラックに固定するためのラダーラック及びケーブルクリートシステムであって、
サイドレールと、前記サイドレールの間で延在する複数のラダーラングと、を有するラダーラックと、
前記ラダーラックに固定された取り付けブラケットアセンブリであって、水平梁及び垂直部材を有するブラケット本体を有する、取り付けブラケットアセンブリと、
前記ブラケット本体の前記水平梁に摺動可能に取り付けられた浮動支持ブラケットであって、前記浮動支持ブラケットが、２つのフランジを伴うベースを含み、各フランジがスロットを含み、前記フランジが、前記ベースから下方に延在し、前記スロットが、互いに整列される、浮動支持ブラケットと、
を備え、
前記取り付けブラケットアセンブリの前記ブラケット本体の前記垂直部材が、前記ラダーラックの前記ラダーラングの１つに固定され、前記浮動支持ブラケットが、前記ラダーラックに固定された前記ケーブルを支持する、ラダーラック及びケーブルクリートシステム。
【請求項９】
前記ブラケット本体が、前記垂直部材から延在している保持フランジを有し、前記保持フランジが、前記ラダーラングと係合して前記ブラケット本体が捩れることを防ぐ、請求項８に記載のケーブルクリートシステム。
【請求項１０】
前記水平梁が、留め具を受け入れるためのねじ穴を伴う第１の端部を含み、前記留め具が、前記浮動支持ブラケットが前記水平梁から摺動して外れることを防ぐ、請求項８に記載のケーブルクリートシステム。
【請求項１１】
前記垂直部材が、前記ブラケット本体を前記ラダーラングに装着する留め具を受け入れるための穴を有する、請求項８に記載のケーブルクリートシステム。
【請求項１２】
前記ブラケット本体が、前記浮動支持ブラケットの前記整列されたスロットを通って配置される、請求項８に記載のケーブルクリートシステム。
【請求項１３】
ケーブルをラダーラックに固定するためのケーブルクリートシステムであって、
ブラケット本体を有する取り付けブラケットアセンブリと、
前記ブラケット本体に摺動可能に取り付けられたケーブルクリートであって、ベース及び前記ベースにヒンジ式に装着されたカバーを有する、ケーブルクリートと、
を備え、
前記ケーブルクリートの前記ベースが、２つのフランジを伴う底部平坦部分を含み、各フランジが、スロットを含み、前記フランジが、前記ベースから下方に延在し、かつ前記スロットが互いに整列され、前記ブラケット本体が、前記ケーブルクリートが前記ブラケット本体に沿って摺動して前記ケーブルの膨張及び収縮に適応することを可能にするために、前記ケーブルクリートの前記ベースの前記整列されたスロットを通って配置され、
前記取り付けブラケットアセンブリが、前記ラダーラックのラダーラングに固定され、前記ケーブルクリートが、前記ケーブルを制限して前記ケーブルを前記ラダーラックに固定する、ケーブルクリートシステム。
【請求項１４】
前記ブラケット本体が、水平梁、垂直部材及び前記垂直部材から延在している保持フランジを有し、前記保持フランジが、前記ラダーラングと係合して前記ブラケット本体が捩れることを防ぐ、請求項１３に記載のケーブルクリートシステム。
【請求項１５】
前記水平梁が、留め具を受け入れるためのねじ穴を伴う第１の端部を含み、前記留め具が、前記ケーブルクリートが前記水平梁から摺動して外れることを防ぐ、請求項１４に記載のケーブルクリートシステム。
【請求項１６】
前記垂直部材が、前記ブラケット本体を前記ラダーラングに装着する留め具を受け入れるための穴を有する、請求項１４に記載のケーブルクリートシステム。
【請求項１７】
前記ケーブルクリートの前記ベースが、第１の端部及び第２の端部を含み、前記ケーブルクリートの前記カバーが、第１の端部及び第２の端部を含む、請求項１３に記載のケーブルクリートシステム。
【請求項１８】
前記ケーブルクリートが、前記ベースの前記第２の端部と前記カバーの前記第１の端部とを枢動可能に連結するヒンジピン、及び前記カバーの前記第２の端部と前記ベースの前記第１の端部とをロックするロックピンを含む、請求項１７に記載のケーブルクリートシステム。
【請求項１９】
前記ケーブルクリートが、前記ヒンジピン及び前記ロックピンが振動及び摺動して外れることから保護するための、前記ヒンジピンの穴に挿入された第１のキーパワイヤ及び前記ロックピンの穴に挿入された第２のキーパワイヤを含む、請求項１８に記載のケーブルクリートシステム。
【請求項２０】
複数のケーブルサイズを収容するための、前記ケーブルクリートの前記ベースと前記カバーとの間に配置された挿入部品を更に含む、請求項１３に記載のケーブルクリートシステム。
【請求項２１】
ケーブルをラダーラックに固定するためのケーブルクリートシステムであって、
ブラケット本体を有する取り付けブラケットアセンブリと、
前記ブラケット本体に摺動可能に取り付けられたケーブルクリートであって、ベース及び前記ベースにヒンジ式に装着されたカバーを有する、ケーブルクリートと、
を備え、
前記ケーブルクリートの前記ベースが、第１の端部及び第２の端部を含み、前記ケーブルクリートの前記カバーが、第１の端部及び第２の端部を含み、
前記ケーブルクリートが、前記ベースの前記第２の端部と前記カバーの前記第１の端部とを枢動可能に連結するヒンジピン、及び前記カバーの前記第２の端部と前記ベースの前記第１の端部とをロックするロックピンを含み、
前記ベースの前記第１の端部及び前記第２の端部が、整列された穴を伴うフランジを含み、かつ前記カバーの前記第１の端部及び前記第２の端部が、整列された穴を伴うフランジを含み、前記カバーの前記第１の端部が、前記ヒンジピンを受け入れるように整列されている前記フランジの前記穴を伴う前記ベースの前記第２の端部における前記フランジ間に配置され、前記ベースの前記第１の端部が、前記ロックピンを受け入れるように整列されている前記フランジの前記穴を伴う前記カバーの前記第２の端部の前記フランジ間に配置され、
前記取り付けブラケットアセンブリが、前記ラダーラックのラダーラングに固定され、前記ケーブルクリートが、前記ケーブルを制限して前記ケーブルを前記ラダーラックに固定する、ケーブルクリートシステム。